(57)【要約】【課題】  早送り再生時、ユーザが興味を引いた目的のシーンにユーザ毎に簡単にたどり着けるようにした再生位置決め装置を提供する。【解決手段】  再生制御部１１により操作情報により早送り再生も含め、蓄積コンテンツの再生を行い、オフセット算出部１３により早送り再生停止時の行過ぎ位置をオフセット情報として処理する。また、オフセット算出部１３は、オフセット情報を用いて再生位置の補正を行うとともに、再生状態および再生位置の履歴に基づいてオフセット情報を更新するようにしている。【選択図】      図１
2006279334.tif 000002
【特許請求の範囲】
【請求項１】
操作情報を入力するための入力装置と、
前記操作情報により早送り再生を含む蓄積コンテンツの再生を行う再生制御手段と、
前記再生制御手段から再生状態および再生位置を入出力し、早送り再生停止時の目的のシーンの先頭位置に対する行過ぎ位置を用いてオフセット情報を算出するオフセット算出手段と、
前記オフセット情報を保存するオフセット情報保存手段とを備え、
前記オフセット算出手段は、前記オフセット情報を用いて、再生位置を前記目的のシーンの先頭位置に対する行過ぎ位置から前記目的のシーンの先頭位置の方向へ移動させる補正を行うとともに、前記再生状態および前記再生位置の履歴に基づいて、前記補正後の再生位置が前回補正処理を行った時よりも前記目的のシーンの先頭位置に近くなるように前記オフセット情報を再計算し、更新することを特徴とする再生位置決め装置。
【発明の詳細な説明】
【技術分野】
【０００１】
本発明は、早送り再生を含め、蓄積コンテンツを再生する際に位置決めを行う再生位置決め装置に関する。
【背景技術】
【０００２】
一般に、コンテンツの蓄積が可能なハードディスク内蔵レコーダなどにおいては、ユーザが任意のシーンを容易に探すことが可能なように、早送り動作による再生（以下、早送り再生という。）が可能となっている。このような操作をユーザは、リモートコントローラ（以下、リモコンと略称する。）を用いて行い、上記早送り再生が高速になればなるほど目的のシーンを見つけ、的確な再生位置から通常速度の再生である通常再生を行うことは困難になる。
【０００３】
すなわち、再生しようと思ったシーンを目視で検出したときには、そのシーンは既に先まで行き過ぎてしまっており、リモコンを数回操作してシーンを戻したりする手間が必要であった。
【０００４】
ビデオの編集作業など、フレーム単位での位置決めが要求される場合には、何度かリモコンを操作してでも、目的のシーン先頭位置に正確にたどり着く必要がある。しかしながら、単に視聴を目的とする場合には、目的のシーン先頭位置にほぼ合致していれば良く、正確にフレーム単位での精度で位置決めすることまでは要求されない。
【０００５】
従来、目的とするシーンへのアクセス性を高める発明としては、特許文献１に開示された装置がある。この装置では、サーチから通常再生へ移行する際に操作遅れ分をスキップする機能も含まれている。
【特許文献１】特開２００２−３４００１公報
【発明の開示】
【発明が解決しようとする課題】
【０００６】
しかしながら、上記特許文献１に開示された装置では、操作遅れ分はサーチ数秒間としており、実際に使うユーザ毎に最適化された補正量とはなっていなかった。ユーザによっては操作反応の早い人もいれば、遅い人もいるため、いずれのユーザでも使い易く、操作性の良好な装置が望まれていた。
【０００７】
本発明は、上記に鑑みてなされたもので、その目的としては、早送り再生時、ユーザが興味を引いた目的のシーンにユーザ毎に簡単にたどり着けるようにした再生位置決め装置を提供することにある。
【課題を解決するための手段】
【０００８】
請求項１記載の発明は、上記課題を解決するため、操作情報を入力するための入力装置と、前記操作情報により早送り再生を含む蓄積コンテンツの再生を行う再生制御手段と、前記再生制御手段から再生状態および再生位置を入出力し、早送り再生停止時の目的のシーンの先頭位置に対する行過ぎ位置を用いてオフセット情報を算出するオフセット算出手段と、前記オフセット情報を保存するオフセット情報保存手段とを備え、前記オフセット算出手段は、前記オフセット情報を用いて、再生位置を前記目的のシーンの先頭位置に対する行過ぎ位置から前記目的のシーンの先頭位置の方向へ移動させる補正を行うとともに、前記再生状態および前記再生位置の履歴に基づいて、前記補正後の再生位置が前回補正処理を行った時よりも前記目的のシーンの先頭位置に近くなるように前記オフセット情報を再計算し、更新することを要旨とする。
【発明の効果】
【０００９】
請求項１記載の本発明によれば、オフセット算出手段は、オフセット情報を用いて再生位置の補正を行うとともに、再生状態および再生位置の履歴に基づいてオフセット情報を更新することにより、ユーザは簡単に目的のシーンからの再生を行うことができるという効果を得ることができる。
【発明を実施するための最良の形態】
【００１０】
以下、本発明の実施の形態を図面を参照して説明する。但し、以下の実施の形態に記載されている構成要素の相対配置や表示図面等は、特に決定的な記載がない限り、本発明の範囲をそれらのみに限定するものではない。
【００１１】
図１は、本発明の一実施形態における再生位置決め装置のシステム構成を示すブロック図である。図１に示すように、再生位置決め装置１は、ユーザが操作情報を入力するための入力装置３と、コンテンツを再生するための再生装置５と、この再生装置５により再生されたコンテンツを映像信号、音声信号として入力して映像信号、音声信号にそれぞれ対応する画像、音声を出力表示する表示装置７とから構成されている。入力装置３は、再生装置５を操作するためにユーザからの操作入力を受け付ける装置であり、例えば赤外線リモコンのような装置が用いられる。
【００１２】
再生装置５は、入力装置３からの操作情報を受け取るための操作情報受信手段としての操作情報受信部９と、予め蓄積コンテンツが保存され、上記操作情報により早送り再生も含め、その蓄積コンテンツの再生を行う再生制御手段としての再生制御部１１と、再生制御部１１から再生状態および再生位置を入出力し、早送り再生停止時の行過ぎ位置を処理するオフセット算出手段としてのオフセット算出部１３と、オフセット算出部１３により算出されたオフセット情報を保存するオフセット情報保存手段としてのオフセット情報保存部１５と、再生制御部１１の再生結果を再生映像音声信号に変換するＡＶ変換部１７と、を備えて構成されている。
【００１３】
したがって、ユーザは、入力装置３から再生動作の指示を示す信号を再生装置５に入力する。再生装置５では、操作情報受信部９で再生動作の指示を示す信号を受信し、その信号を再生制御部１１に出力して再生を指示する。再生制御部１１では、予め蓄積された蓄積コンテンツを再生し、その再生結果を示す信号をＡＶ変換部１７に出力する。ＡＶ変換部１７では、再生映像音声信号に変換し、その再生映像音声信号を表示装置７に出力する。この表示装置７では、映像音声信号にそれぞれ対応する画像、音声を出力表示させる。ここで、表示信号は、映像信号および音声信号、あるいは映像信号のみとなる。
【００１４】
次に、本実施形態の再生制御部１１について説明する。図２は本実施形態における再生制御部１１の構成を示すブロック図である。なお、図２に示す実施形態の場合は、再生装置５が蓄積機能も可能としているビデオレコーダのような装置である。
【００１５】
図２に示すように、再生制御部１１では、放送や通信からのコンテンツ信号をコンテンツ受信部１９で受信する。ここで、受信対象となるコンテンツ信号は、デジタル信号でもアナログ信号でもよい。コンテンツ受信部１９にて受信したコンテンツ信号は、書き込み処理部２１を介してコンテンツ保存部２３に蓄積される。一方、コンテンツ保存部２３からは、操作情報受信部９の指示によって選択されたコンテンツ信号が読み出し処理部２５によって読み出され、ＡＶ変換部１７へ出力されるようになっている。
【００１６】
また、再生制御部１１の読み出し処理部２５は、オフセット算出部１３と接続されており、相互に再生制御情報、再生位置情報などの入出力を行っている。
【００１７】
なお、蓄積コンテンツは、上記のように再生制御部１１のコンテンツ保存部２３に保存されており、このコンテンツ保存部２３のメディア形態は様々な場合がある。例えば、先頭から順次再生するシーケンシャルアクセスが可能なテープメディアでもよいし、任意の位置から瞬時に再生するランダムアクセスが可能なディスクメディアでもよい。
【００１８】
また、コンテンツ保存部２３の蓄積コンテンツが記録されたメディアは、記録再生が可能なメディアでもよいし、予めコンテンツが記録されているＤＶＤ(Digital Versatile Disc)のようなパッケージメディアでもよい。
【００１９】
さらに、入力装置３から指定される再生状態の種別としては、順方向の早送り再生、逆方向の早送り再生、順方向の等速再生、逆方向の等速再生、順方向のスローモーション再生、逆方向のスローモーション再生、停止、一時停止などが挙げられる。
【００２０】
次に、本実施形態におけるオフセット算出部１３の構成について説明する。図３は本実施形態におけるオフセット算出部１３の構成を示すブロック図である。
【００２１】
図３に示すように、本実施形態のオフセット算出部１３は、再生装置５の動作状態が現在早送り再生中か否かを判定する早送り再生モード判定部３１と、早送り再生モードＰｍを保存する早送り再生モード保存処理部３３と、再生装置５の状態を示す再生モードが再生モード変化条件ｓｃに一致しているか否かの判定を行う再生モード変化判定部３５と、行過ぎ位置Ｏｐを保存する行過ぎ位置Ｏｐ保存処理部３７と、先に行き過ぎた距離を戻す動作であるオフセット補正処理を行う再生位置補正部３９とを備えている。
【００２２】
また、本実施形態のオフセット算出部１３は、高速早送り再生を中止してからの経過時間Ｔがある時間条件にマッチするか否かを判定する経過時間Ｔ判定部４１と、再生中の位置Ｐｐがある位置条件にマッチするか否かを判定する再生位置Ｐｐ判定部４３と、再生速度Ｐｖがある速度条件にマッチするか否かを判定する再生速度Ｐｖ判定部４５と、視聴再生位置Ｔｐを一時保存する視聴再生位置Ｔｐ保存処理部４７と、ある時間以上そのままの視聴再生モードで再生を続けているか否かを判定する再生時間Ｐ判定部４９と、ある時間以上、視聴再生モードが続いていた場合には、目的のシーンが見つかり、視聴が開始されていると判断し、予測オフセット値Ｄを再計算し、更新を行う予測オフセット値更新部５１とを備えている。
【００２３】
さらに、本実施形態のオフセット算出部１３は、再生速度と対象関係にある早送り再生モードＰｍを記録する早送り再生モード保存部５３と、再生モードが変わった瞬間の行過ぎ位置Ｏｐを保存する行過ぎ位置Ｏｐ保存部５５と、視聴再生位置Ｔｐを一時保存する補正位置Ｔｐ保存部５７とを備えている。
【００２４】
次に、本実施形態における再生位置決め動作を説明する。
【００２５】
ユーザは、興味を引くシーンに到達するために、表示装置７に表示される動画を見ながら、再生制御部１１に保存された蓄積コンテンツを早送り再生する。その際、表示装置７に興味を引くシーンが一瞬表示されたことに気づいたとき、ユーザは入力装置３を操作し、順方向の早送り再生状態の解除を行う。この場合、ユーザが興味を引くシーンに気づいてから入力装置３を操作し、再生装置５の状態の変化が完了するには、ある程度の時間が必要となるため、通常は視聴したいと思うシーンより先に行き過ぎてしまう。
【００２６】
すなわち、一般に、図４に示すように早送り再生（Ｐ１）においてシーンｘの先頭位置に対して行き過ぎてしまうため、送り方向を変えての再生を何度か行い（Ｐ２、Ｐ３、Ｐ４）、目撃したシーンｘの先頭位置に到達し、等速または１．ｎ倍速再生（Ｐ５）を行おうとする。これは、最初の早送り再生の速度が高速の場合、行き過ぎてしまう量も多く、顕著に行われるユーザの行動である。
【００２７】
そこで、本実施形態では、オフセット算出部１３およびオフセット情報保存部１５を用いて上記問題を解決する。その動作概要を図５を用いて説明する。
【００２８】
図５に示すように、ユーザは、早送り再生（Ｐ１１）の最中にシーンｘの先頭を目撃した場合、早送り再生を解除したときには先に行き過ぎてしまう。この早送り再生モードを保存し（Ｐ１２）、再生位置Ｏｐを保存し（Ｐ１３）、オフセット情報保存部１５から予測オフセット値Ｄを読み出し（Ｐ１４）、再生位置を補正するオフセット補正処理（Ｐ１５）を行う。
【００２９】
しかし、目的のシーンｘの先頭位置からはまだ多少ずれているため、ユーザは逆方向に再生（Ｐ１６）を行い、目的の位置に到達することで、等速または１．ｎ倍速再生（Ｐ１７）を行う。なお、次回の補正精度を向上させるために、このときに、再生位置Ｔｐの保存（Ｐ１８）を行い、再生がしばらく経過した時点で再計算を行い、予測オフセット値Ｄの更新（Ｐ１９）を行う。
【００３０】
次に、オフセット算出部１３の処理について図３および図６を用いて詳細に説明する。図６は本実施形態のオフセット算出部１３の処理を示すフローチャートである。
【００３１】
オフセット算出部１３では、まず、操作情報受信部９からの再生制御情報を再生制御部１１経由で受け取る。この再生制御情報に基づいて入力装置３から操作された再生装置５の動作状態が現在早送り再生中か否かを早送り再生モード判定部３１によって判定する（ステップＳ１０）。
【００３２】
早送り再生中である場合（ステップＳ１０；Ｙｅｓ）には、そのときの再生速度が後から参照可能なように、再生速度と対象関係にある早送り再生モードＰｍをオフセット算出部１３内部の早送り再生モード保存処理部３３を用いて早送り再生モード保存部５３に記録する（ステップＳ２０）。なお、早送り再生中でない場合（ステップＳ１０；Ｎｏ）には、全体の処理を終了する。
【００３３】
その後、ユーザは、早送り再生中に表示装置７に表示される蓄積コンテンツの早送り動画を監視しながら、気になるシーンを目撃した時、入力装置３の停止や逆方向再生ボタンなどを入力し、早送り再生を一時的に解除する。このときの、再生装置５の状態を示す再生モードが次に示す再生モード変化条件ｓｃに一致しているか否かの判定を再生モード変化判定部３５により行う（ステップＳ３０）。
【００３４】
なお、再生モード変化条件ｓｃは、『ある速度以上の早送り再生中に、同一再生方向以外の再生状態を指示する操作情報が入力されたかどうか』とする。すなわち、順方向の早送り再生中に、順方向の早送り再生ボタンや、順方向の再生ボタンが押された場合は条件を満たさないが、停止、一時停止、逆方向再生のボタンが押された場合は、再生モード変化条件に一致したと判定する。
【００３５】
前記条件が一致している場合（ステップＳ３０；Ｙｅｓ）は、その再生モードが変わった瞬間の行過ぎ位置Ｏｐを、行過ぎ位置Ｏｐ保存部５５に保存すると共に、経過時間Ｔｔの計測を開始する（ステップＳ４０）。なお、時間の計測は、図示はしない再生装置５に内蔵される時計や、経過時間Ｔ判定部４１に個別に持つタイマーに開始を指示するなどして行う。
【００３６】
次に、オフセット情報保存部１５に対し、前記早送り再生モードＰｍを入力し、予測オフセット値Ｄを読み出す。オフセット情報保存部１５には、図７に示す形式でデータが保存されている。すなわち、図７に示すように早送り再生モードＰｍ、予測オフセット値Ｄおよび履歴数Ｎの組み合わせで最低限構成されている。なお、早送り再生モードＰｍは、再生装置５がサポートしている全ての再生モードのデータを持つ必要はなく、再生速度がある値以上の再生モードに対するデータであってかまわない。
【００３７】
予測オフセット値Ｄの値の単位は、再生装置５のコンテンツ再生制御方法により異なり、時間またはメディア上の距離などの値が保存される。ステップＳ４０では、読み出された予測オフセット値Ｄを用いて行過ぎ位置Ｏｐ保存処理部３７で計測された行過ぎ位置Ｏｐより予測オフセット値Ｄ分、再生位置を更に移動させる。すなわち、再生位置補正部３９により先に行き過ぎた距離を戻す動作であるオフセット補正処理を行う（ステップＳ５０）。
【００３８】
補正再生位置Ａｐは、行過ぎ位置Ｏｐと、早送り再生モードＰｍと、関係した予測オフセット値Ｄから次の式で表される。
【００３９】
Ａｐ＝Ｏｐ−Ｄ（Ｐｍ）                                    （数１）
なお、例えば順方向１倍速再生と順方向早送り再生を交互に組み合わせ、早送り再生を行っている場合は、先に述べた再生モード変化条件ｓｃには当てはまらず、順方向にシーンを探している途中にあると判断される。このため、この場合は再生モードの変化点において、前記ステップＳ５０のオフセット補正処理は行われない。
【００４０】
補正再生位置Ａｐへの移動期間中は、コンテンツ保存部２３の内部がテープメディアのようにシーケンシャルアクセスの場合は、例えば最初の早送り再生よりゆっくりした速度の逆方向再生を行う。一方、コンテンツ保存部２３の内部が、ディスクメディアのようにランダムアクセスが可能な場合は、早送り、等速またはスローモーション再生、もしくはオフセット補正位置への直接ジャンプを行う。この場合のディスクメディアは、ＤＶＤのようなリムーバブル式や、ハードディスクドライブのように固定式メディアを想定している。このように位置の補正を行い、目的の位置に到達したら、停止状態、または一時停止を行う。
【００４１】
なお、オフセット情報保存部１５の各予測オフセット値Ｄは、再生装置５に初めて電源を投入した直後である場合、０または再生装置１の製造時に予め設定されたプリセット値とする。
【００４２】
しかし、補正を行ったとしても、特に再生装置５を使い始めて間もない場合は、通常、予測オフセット値Ｄの特性は、ユーザにとって最適化されていないため、補正後の再生位置も適切でないことが想定される。
【００４３】
そこでユーザは、表示装置７に表示される現在の再生位置のシーンを見て、目的とするシーンか否かの判断を行う。もし、目的のシーンからずれていた場合は、更に入力装置３を操作して前後に再生位置を移動させ、目的のシーンが見つかったなら、そこから再生させる。このとき、前記移動距離は最初の行過ぎ位置Ｏｐによるずれと比較すると小さいことが期待でき、操作時間も一層短時間で済ませることが可能となる。
【００４４】
この操作の期間、オフセット算出部１３では、次の３つの条件を判定し続ける。すなわち、第１に、高速早送り再生を中止してからの経過時間Ｔがある時間条件にマッチするか否かを経過時間Ｔ判定部４１により判定する（ステップＳ６０）。第２に、再生中の位置Ｐｐがある位置条件にマッチするか否かを再生位置Ｐｐ判定部４３により判定する（ステップＳ７０）。第３に、再生速度Ｐｖがある速度条件にマッチするか否かを再生速度Ｐｖ判定部４５により判定する（ステップＳ８０）。
【００４５】
なお、ステップＳ６０における第１の経過時間の条件としては、例えば『２０秒以下』などと設定する。
【００４６】
ステップＳ７０における第２の位置条件の一例として、行過ぎ位置をＯｐ、再生モードＰｍをパラメータとした、標準的最大補正位置をＡｐｍａｘ（Ｐｍ）としたとき、再生中の位置Ｐｐとして次の条件とする。
【００４７】
Ｏｐ−Ａｐｍａｘ（Ｐｍ）＜Ｐｐ＜Ｏｐ                    （数２）
なお、Ａｐｍａｘ（Ｐｍ）は早送り再生が順方向の場合は正の値をとるが、逆方向の場合は負の値をとる。
【００４８】
ステップＳ８０における第３の再生速度の条件としては、『再生速度が順方向再生でかつ停止より速く、２倍速再生より遅い場合』とする。このときの再生モードは仮に視聴再生モードと呼ぶことにする。例えば、０．８倍速、１倍速、１．２倍速、１．５倍速再生は、視聴再生モードである。
【００４９】
前記第１の条件と前記第２の条件を満たし、第３の条件を満たした瞬間における視聴再生位置Ｔｐを補正位置Ｔｐ保存部５７へ一時保存する（ステップＳ９０）。また、第３の条件を満たした再生開始時より経過時間の計測を開始する。この時間の計測は、図示しない再生装置５に内蔵される時計や、再生時間Ｐ判定部４９に個別にタイマーを持つなどして実現する。
【００５０】
次に、ステップＳ１００では、ある時間以上そのままの視聴再生モードで再生を続けているか否かを再生時間Ｐ判定部４９により判定する。ここで、ある時間とは、例えば『１０秒以上』などとする。ある時間以上、視聴再生モードが続いていた場合（ステップＳ１００；Ｙｅｓ）には、目的のシーンが見つかり、視聴が開始されていると判断し、ここで予測オフセット値Ｄを再計算し、予測オフセット値更新部５１により更新を行う（ステップＳ１１０）。
【００５１】
一方、ある時間以上、視聴再生モードが継続しなかった場合（ステップＳ１００；Ｎｏ）、ユーザはまだ目的のシーンを前後に検索中と判断し、再度、ステップＳ６０の条件判断に戻る。
【００５２】
このようにして、目的のシーンの先頭位置が見つかるまで、前記第１の条件の間、条件を満たす状態になることを待つ。但し、途中でユーザが処理を中断したいと考える場合も考慮する必要があるため、一定時間中に処理が行われない場合（ステップＳ６０；Ｎｏ）、再生条件にマッチしない場合（ステップＳ７０；Ｎｏ）には、ループを抜け、処理を終了する。
【００５３】
ある時間以上、そのままの視聴再生モードで再生し続けていると判定された場合は、新規予測オフセット値Ｄｎｅｗを求める。この新規予測オフセット値Ｄｎｅｗは、行過ぎ位置Ｏｐからの視聴再生位置の新規補正値である。
【００５４】
パラメータとしては、行過ぎ位置Ｏｐ、視聴再生位置Ｔｐ、前回までの予測オフセット値Ｄおよび履歴数Ｎから求める。その計算式として、例えば、次のような計算式を用いる。
【００５５】
新規予測オフセット値Ｄｎｅｗ、および新履歴数Ｎｎｅｗは
Ｄｎｅｗ＝Ｄ×Ｎ／（Ｎ＋１）＋（Ｏｐ−Ｔｐ）×１／（Ｎ＋１）    （数３）
Ｎｎｅｗ＝Ｎ＋１                                              （数４）
但し、新履歴数Ｎｎｅｗについては、ある一定値より大きい場合、強制的に一定値とする。例えば、その最大値は６４などとする。上記で得られた新予測オフセット値Ｄｎｅｗと新履歴数Ｎｎｅｗはオフセット情報保存部１５の早送り再生モードＰｍの各対応したＤおよびＮの領域へ保存される。次回からは、この新しい予測オフセット値Ｄを用いることになる。
【００５６】
このようにして、最初は適正位置に補正されなくとも、繰り返し早送り再生を用いシーンの選択を行っていると、予測オフセット値Ｄに新たな補正が加わる学習効果が得られ、ステップＳ５０の再生位置補正処理によって、次第に目的のシーン近辺にたどり着けるようになる。
【００５７】
また、入力装置３への応答特性が全く異なる別のユーザに操作が変わった場合は、そのまま早送り再生を用いシーンの選択を継続させるか、学習処理を中止させ、予測オフセット値Ｄを初期値に戻し、早送り再生を用いシーンの選択を繰り返し行う。このようにすると違うユーザでもサーチ位置を適応的に補正するようになることが可能である。
【００５８】
以上のように本実施形態によれば、高速の早送り再生を用いてシーンを探す際にシーンを通り過ぎることがあっても、行き過ぎたその時間を予測して戻り、少ない操作で目的のシーンからの番組再生が可能となる効果が得られる。
【００５９】
すなわち、本実施形態では、ユーザが早送り再生時に興味を引くシーンを目撃し、早送り再生を中止する際に行き過ぎてしまう量を算出し、算出した結果から再生位置を補正して再生位置を移動させ、目的のシーン近辺に位置決めを行う。この位置決めに使用する補正量は、過去のユーザの早送り再生を用いたシーンの選択における操作履歴より自動的に作成する。
【００６０】
次に、再生制御部の他の実施形態について説明する。図８は再生制御部の他の実施形態を示すブロック図である。なお、前記実施形態と同一または対応する部分には、図２と同一の符号を用いて説明する。
【００６１】
本実施形態に示す再生制御部１１Ａは、コンテンツの記録部分を持たず、再生専用機に適用されるものである。上記コンテンツは、予めコンテンツ保存部２３に保存されている。操作情報受信部９からの指示によって選択されたコンテンツは、読み出し処理部２５によって読み出され、ＡＶ変換部１７へ出力されるように構成されている。
【００６２】
また、再生制御部１１Ａの読み出し処理部２５は、前記実施形態と同様にオフセット算出部１３と接続されており、相互に再生制御情報、再生位置情報などの入出力を行っている。その他の構成および作用は、前記実施形態と同様である。
【００６３】
図９はオフセット情報保存部の他のデータ保存形式を示す説明図である。
【００６４】
図９に示すオフセット情報保存部１５は、ユーザＡ，ユーザＢおよびユーザＣのように複数ユーザのパラメータを登録可能としている。最初に、どのユーザのパラメータを使うかは入力装置３からの指定によって行う。
【００６５】
このデータ保存形式の場合には、ユーザが変わる度に、新たにユーザ特性を学習させる必要がなくなるという効果が得られる。
【図面の簡単な説明】
【００６６】
【図１】本発明の一実施形態における再生位置決め装置のシステム構成を示すブロック図である。
【図２】本実施形態における再生制御部の構成を示すブロック図である。
【図３】本実施形態におけるオフセット算出部の構成を示すブロック図である。
【図４】一般の再生位置決め動作を示す説明図である。
【図５】本実施形態の再生位置決め動作を示す説明図である。
【図６】本実施形態のオフセット算出部の処理を示すフローチャートである。
【図７】本実施形態のオフセット情報保存部のデータ保存形式を示す説明図である。
【図８】再生制御部の他の実施形態を示すブロック図である。
【図９】オフセット情報保存部の他のデータ保存形式を示す説明図である。
【符号の説明】
【００６７】
１    再生位置決め装置
３    入力装置
５    再生装置
７    表示装置
９    操作情報受信部（操作情報受信手段）
１１    再生制御部（再生制御手段）
１３    オフセット算出部（オフセット算出手段）
１５    オフセット情報保存部（オフセット情報保存手段）
１７    ＡＶ変換部
１９    コンテンツ受信部
２１    書き込み処理部
２３    コンテンツ保存部
２５    読み出し処理部
【図１】
2006279334.tif 000003
【図２】
2006279334.tif 000004
【図３】
2006279334.tif 000005
【図４】
2006279334.tif 000006
【図５】
2006279334.tif 000007
【図６】
2006279334.tif 000008
【図７】
2006279334.tif 000009
【図８】
2006279334.tif 000010
【図９】
2006279334.tif 000011